(57)【要約】【課題】複数の圧着端子を端子収容室に挿入した状態で複数の電線に圧着端子を同時に圧着することによって組立作業を容易にするとともに、端子圧着治具の複数の圧着端子を区画する部分を小さくして強度を低下させる必要がないコネクタおよびコネクタの組立方法を提供すること。【解決手段】複数の端子収容室２３が設けられたコネクタ１において、コネクタハウジング１０は、１つの端子収容室２３と、端子挿入口２２と、相手端子挿入口２４と、を有してなる分割ハウジング２０が複数の端子収容室２３に対応して複数設けられ、かつ、複数の分割ハウジング２０が、分離、および、合体可能になっており、分割ハウジング２０は、圧着端子８０を一部が端子収容室２３内に挿入され、かつ、電線７１に圧着される部分が端子挿入口２２から露出された状態で仮係止する仮係止部２７と、圧着端子８０を端子収容室２３内に収容完了した位置で係止する本係止部２８と、を有してなる。【選択図】図３
2018049766.tif 000002
【特許請求の範囲】
【請求項１】
電線の端末部に圧着される圧着端子が収容される複数の端子収容室が設けられたコネクタハウジングを有してなるコネクタにおいて、
前記コネクタハウジングは、
前記複数の端子収容室の１つの端子収容室と、該１つの端子収容室内への前記圧着端子の挿入口となる端子挿入口と、前記圧着端子に接続される接続相手端子の挿入口となる相手端子挿入口と、を有してなる分割ハウジングが前記複数の端子収容室に対応して複数設けられ、かつ、複数の前記分割ハウジングが、分離、および、合体可能になっており、
前記分割ハウジングは、
前記圧着端子を一部が前記端子収容室内に挿入され、かつ、前記電線に圧着される部分が前記端子挿入口から露出された状態で仮係止する仮係止部と、前記圧着端子を前記端子収容室内に収容完了した位置で係止する本係止部と、
を有してなることを特徴とするコネクタ。
【請求項２】
前記分割ハウジングは、
前記圧着端子を前記端子収容室内に収容完了した位置で係止する弾性係止片を有し、該弾性係止片が当該分割ハウジングの外面および前記端子収容室の内面を構成する壁の外面から前記端子収容室内に貫通するスリットによって前記壁の一部が片持ち片状に外形がくりぬかれてなり、前記スリットが他の前記分割ハウジングと合体するための係合部分になっている
ことを特徴とする請求項１に記載のコネクタ。
【請求項３】
電線の端末部に圧着される圧着端子が収容される複数の端子収容室が設けられたコネクタハウジングを有してなるコネクタの組立方法であって、
前記コネクタハウジングが、前記複数の端子収容室の１つの端子収容室と、該１つの端子収容室内への前記圧着端子の挿入口となる端子挿入口と、前記圧着端子に接続される接続相手端子の挿入口となる相手端子挿入口と、を有してなる分割ハウジングを前記複数の端子収容室に対応して複数に分離された状態で、複数の前記圧着端子を前記電線に圧着される部分が前記端子挿入口から露出された状態で仮係止する端子仮係止工程と、
前記端子仮係止工程にて複数に分離された状態の前記分割ハウジング内に仮係止された複数の前記圧着端子を前記電線に圧着する端子圧着工程と、
前記分割ハウジングに仮係止された複数の前記圧着端子のそれぞれを前記端子収容室内に収容完了した位置に本係止した後に、複数に分割された前記分割ハウジングを合体させる、あるいは、複数に分割された前記分割ハウジングを合体させた後に、前記分割ハウジングに仮係止された複数の前記圧着端子のそれぞれを前記端子収容室内に収容完了した位置に本係止する端子本係止および分割ハウジング合体工程と、
を含むことを特徴とするコネクタの組立方法。
【発明の詳細な説明】
【技術分野】
【０００１】
本発明は、電線の端末部に圧着される圧着端子が収容される複数の端子収容室が設けられたコネクタハウジングを有してなるコネクタおよびコネクタの組立方法に関する。
【背景技術】
【０００２】
従来、電線の端末部に圧着される圧着端子が収容される複数の端子収容室が設けられたコネクタハウジングを有してなるコネクタは、各電線に端子を圧着する工程、および、複数の電線の端末部に圧着された圧着端子のそれぞれを各端子収容室に収容する工程で、複数の電線を端子圧着治具の位置に位置合わせし、その後、電線の端末部に圧着された圧着端子を各端子収容室に位置合わせしながら端子収容室内に挿入する必要があるため、組立作業が煩雑になる。
【０００３】
例えば、特許文献１には、複数の圧着端子を端子収容室内に収容した状態で複数の圧着端子を同時に圧着することができるアンビル３１１およびクリンパ３１２を備えた端子圧着治具３１０（図１３参照）によって複数の電線に圧着することによって組立作業を容易にしたコネクタおよびコネクタの組立方法が記載されている。
【先行技術文献】
【特許文献】
【０００４】
【特許文献１】特開平８−７９６８号公報
【発明の概要】
【発明が解決しようとする課題】
【０００５】
しかしながら、特許文献１に記載されたコネクタおよびコネクタの組立方法は、コネクタハウジングの小型化のため隣り合う端子収容室の間隔を小さくすると、それに対応して、端子圧着治具３１０であるクリンパ３１２の複数の圧着端子を区画する部分３１２ａの幅を小さくしなければならず、端子圧着治具３１０の強度が確保できなくなるという問題があった。
【０００６】
本発明は、上記に鑑みてなされたものであって、複数の圧着端子を端子収容室に挿入した状態で複数の電線に圧着端子を同時に圧着することによって組立作業を容易にするとともに、コネクタハウジングの小型化に対応して複数の端子収容室の配置間隔が小さくなることによって端子圧着治具の複数の圧着端子を区画する部分を小さくして強度を低下させる必要がないコネクタおよびコネクタの組立方法を提供することを目的とする。
【課題を解決するための手段】
【０００７】
上述した課題を解決し、目的を達成するために、本発明の請求項１に係るコネクタは、電線の端末部に圧着される圧着端子が収容される複数の端子収容室が設けられたコネクタハウジングを有してなるコネクタにおいて、前記コネクタハウジングは、前記複数の端子収容室の１つの端子収容室と、該１つの端子収容室内への前記圧着端子の挿入口となる端子挿入口と、前記圧着端子に接続される接続相手端子の挿入口となる相手端子挿入口と、を有してなる分割ハウジングが前記複数の端子収容室に対応して複数設けられ、かつ、複数の前記分割ハウジングが、分離、および、合体可能になっており、前記分割ハウジングは、前記圧着端子を一部が前記端子収容室内に挿入され、かつ、前記電線に圧着される部分が前記端子挿入口から露出された状態で仮係止する仮係止部と、前記圧着端子を前記端子収容室内に収容完了した位置で係止する本係止部と、を有してなることを特徴とする。
【０００８】
また、本発明の請求項２に係るコネクタは、上記の発明において、前記分割ハウジングは、前記圧着端子を前記端子収容室内に収容完了した位置で係止する弾性係止片を有し、該弾性係止片が当該分割ハウジングの外面および前記端子収容室の内面を構成する壁の外面から前記端子収容室内に貫通するスリットによって前記壁の一部が片持ち片状に外形がくりぬかれてなり、前記スリットが他の前記分割ハウジングと合体するための係合部分になっていることを特徴とする。
【０００９】
上述した課題を解決し、目的を達成するために、本発明の請求項３に係るコネクタの組立方法は、電線の端末部に圧着される圧着端子が収容される複数の端子収容室が設けられたコネクタハウジングを有してなるコネクタの組立方法であって、前記コネクタハウジングが、前記複数の端子収容室の１つの端子収容室と、該１つの端子収容室内への前記圧着端子の挿入口となる端子挿入口と、前記圧着端子に接続される接続相手端子の挿入口となる相手端子挿入口と、を有してなる分割ハウジングを前記複数の端子収容室に対応して複数に分離された状態で、複数の前記圧着端子を前記電線に圧着される部分が前記端子挿入口から露出された状態で仮係止する端子仮係止工程と、前記端子仮係止工程にて複数に分離された状態の前記分割ハウジング内に仮係止された複数の前記圧着端子を前記電線に圧着する端子圧着工程と、前記分割ハウジングに仮係止された複数の前記圧着端子のそれぞれを前記端子収容室内に収容完了した位置に本係止した後に、複数に分割された前記分割ハウジングを合体させる、あるいは、複数に分割された前記分割ハウジングを合体させた後に、前記分割ハウジングに仮係止された複数の前記圧着端子のそれぞれを前記端子収容室内に収容完了した位置に本係止する端子本係止および分割ハウジング合体工程と、を含むことを特徴とする。
【発明の効果】
【００１０】
本発明の請求項１に係るコネクタは、複数の前記圧着端子が対応する前記分割ハウジングの仮係止位置に係止された状態で、前記端子挿入口から露出された前記電線に圧着される部分が端子圧着治具によって前記電線に同時に圧着可能とされ、しかも、複数の前記分割ハウジングが、分離、および、合体可能になっており、前記圧着端子が仮係止された前記複数の分割ハウジングは、分離された状態にすることができるので、前記複数の分割ハウジングは、端子圧着治具のクリンパの複数の圧着端子を区画する部分の幅に対応して互いの間隔を離間することができ、結果的に、複数の圧着端子を端子収容室に挿入した状態で複数の電線に圧着端子を同時に圧着することによって組立作業を容易にするとともに、コネクタハウジングの小型化に対応して複数の端子収容室の配置間隔が小さくなることによって端子圧着治具の複数の圧着端子を区画する部分を小さくして強度を低下させる必要がない。
【００１１】
本発明の請求項２に係るコネクタは、前記圧着端子を前記端子収容室内に収容完了した位置に係止する前記弾性係止片の外形をくりぬくために前記分割ハウジングに形成された前記スリットの一部を前記分割ハウジングが合体するための係合部分として利用しているため、簡易な構成で前記複数の分割ハウジングを分離、および、合体させることができる。
【００１２】
本発明の請求項３に係るコネクタの組立方法は、複数の前記圧着端子が対応する前記分割ハウジングの仮係止位置に係止された状態で、前記端子挿入口から露出された前記電線に圧着される部分が端子圧着治具によって前記電線に同時に圧着可能とされ、しかも、前記圧着端子が仮係止された前記複数の分割ハウジングは、分離された状態になっているので、前記複数の分割ハウジングは、端子圧着治具のクリンパの複数の圧着端子を区画する部分の幅に対応して互いの間隔を離間することができ、結果的に、複数の圧着端子を端子収容室に挿入した状態で複数の電線に圧着端子を同時に圧着することによって組立作業を容易にするとともに、コネクタハウジングの小型化に対応して複数の端子収容室の配置間隔が小さくなることによって端子圧着治具の複数の圧着端子を区画する部分を小さくして強度を低下させる必要がない。
【図面の簡単な説明】
【００１３】
【図１】図１は、（ａ）が本発明の実施例に係るコネクタが組み込まれた車載カメラの側面図であり、（ｂ）が（ａ）に示した車載カメラの斜視図である。
【図２】図２は、本発明の実施例に係るコネクタの上面図である。
【図３】図３は、（ａ）が図２に示したコネクタのＡ−Ａ線断面図であり、（ｂ）が（ａ）に示した分割ハウジングの周辺の断面図である。
【図４】図４は、４つの分割ハウジングを合体させた状態を示した図である。
【図５】図５は、４つの分割ハウジングを分離した状態を示した図である。
【図６】図６は、分離された４つの分割ハウジングを図５とは異なる方向から視た図である。
【図７】図７は、圧着部を圧着した状態の圧着端子の斜視図である。
【図８】図８は、（ａ）が圧着端子が分割ハウジングの仮係止位置に係止された状態で圧着端子が電線に圧着された状態を示す断面図であり、（ｂ）が圧着端子が分割ハウジングの本係止位置に係止された状態を示した断面図である。
【図９】図９は、（ａ）が、端末部の各被覆材が除去され、編組を絶縁被覆材の外周に折り返した状態で４本の電線が露出され、各電線の端末部の導体部が露出された状態になっているシールド電線の斜視図であり、（ｂ）が、端末部に露出された４本の電線のうち、２本の電線を下方に屈曲させた状態のシールド電線の斜視図である。
【図１０】図１０は、（ｃ）が端子圧着治具を含む端子圧着装置によって２本の電線に対して圧着端子を圧着する様子を示した図であり、（ｄ）が２つの圧着端子が各分割ハウジングの仮係止位置で電線に圧着完了された状態を示した図である。
【図１１】図１１は、（ｅ）が２つの分割ハウジングを合体する様子を示した図であり、（ｆ）が２つの圧着端子が各分割ハウジングの仮係止位置から本係止位置に移動完了された状態を示した図である。
【図１２】図１２は、（ｇ）が端子圧着治具を含む端子圧着装置によって残りの２本の電線に対して圧着端子を圧着する様子を示した図であり、（ｈ）が４つの分割ハウジングを全て合体させることによって１つのインナーハウジングに組立完了した状態を示した図である。
【図１３】図１３は、従来技術の問題を説明するための図である。
【発明を実施するための形態】
【００１４】
以下、図面を参照して、本発明に係るコネクタおよびコネクタの組立方法の好適な実施例を詳細に説明する。
【実施例】
【００１５】
図１は、（ａ）が本発明の実施例に係るコネクタ１が組み込まれた車載カメラ２００の側面図であり、（ｂ）が（ａ）に示した車載カメラ２００の斜視図である。図２は、本発明の実施例に係るコネクタ１の上面図である。図３は、（ａ）が図２に示したコネクタ１のＡ−Ａ線断面図であり、（ｂ）が（ａ）に示した分割ハウジング２０の周辺の断面図である。図４は、４つの分割ハウジング２０を合体させた状態を示した図である。図５は、４つの分割ハウジング２０を分離した状態を示した図である。図６は、分離された４つの分割ハウジング２０を図５とは異なる方向から視た図である。図７は、圧着部８２を圧着した状態の圧着端子の斜視図である。図８は、（ａ）が圧着端子８０が分割ハウジング２０の仮係止位置に係止された状態で圧着端子８０が電線７１に圧着された状態を示す断面図であり、（ｂ）が圧着端子８０が分割ハウジング２０の本係止位置に係止された状態を示した断面図である。
なお、図３には、機器側コネクタ１００に設けられる回路基板１４０についても図示している。
また、図２および図３は、コネクタ１以外に機器側コネクタ１００の一部についても図示している。
本発明の実施例に係るコネクタ１は車載カメラ２００に組み込まれてなる。
以下、車載カメラ２００の構成を説明しながらコネクタ１およびコネクタの組立方法について説明する。
【００１６】
車載カメラ２００は、機器側コネクタ１００、カメラケース１３０と、機器側コネクタ１００にコネクタ嵌合されるコネクタ１と、を有してなる。
【００１７】
コネクタ１は、端末部に圧着端子８０が取り付けられた４本の電線７１をシールド材および絶縁材を含む被覆材で外周を覆うことによって束ねられてなるシールド電線７０の圧着端子８０のそれぞれを収容する４つの端子収容室２３が設けられたインナーハウジング１０と、インナーハウジング１０の外周を覆うようにインナーハウジング１０に取り付けられるシールドシェル４０と、シールドシェル４０が取り付けられた状態のインナーハウジング１０を内部に収容し、機器側コネクタ１００とのコネクタ嵌合部分が設けられたアウターハウジング５０と、を有してなる。
なお、アウターハウジング５０の後端部開口にはホルダー６０によってシール部材６１が固定されるようになっている。
【００１８】
シールド電線７０は、４本の電線７１がシールド層を含めた多層の被覆材によって覆われることによって構成されている。
【００１９】
圧着端子８０は、メス型端子であり、接続相手端子９０が接続される相手端子接続部８１と、電線７１に圧着される圧着部８２と、相手端子接続部８１と圧着部８２との間を底壁が連続されるように連結する中間部８３と、を有してなる。
【００２０】
相手端子接続部８１は、先細りの円筒状をなし、後述する分割ハウジング２０の仮係止部２７および本係止部２８に係止される被係止部８４が底壁の一部が斜めに切り起こされることによって設けられている。
【００２１】
圧着部８２は、底壁８２ａと、底壁８２ａの両縁から立設された一対の圧着片８２ｂと、を有してなる。
この圧着端子８０は、端子圧着治具３１０によって電線７１に圧着される前には、略Ｕ字状に折り曲げられた状態になっている。
なお、この実施例では圧着端子８０がメス型端子であるものを例示したが、これに限らず、オス型端子であっても構わない。
【００２２】
インナーハウジング１０は、４つの分割ハウジング２０が合体されたものであり、４本の電線７１の端末部にそれぞれ圧着される４つの圧着端子８０が収容される４つの端子収容室２３が設けられてなる。
このインナーハウジング１０は、４つの端子収容室２３の１つの端子収容室２３と、１つの端子収容室２３内への圧着端子８０の挿入口となる端子挿入口２２と、圧着端子８０に接続される接続相手端子９０の挿入口となる相手端子挿入口２４と、を有してなる分割ハウジング２０が４つの圧着端子８０に対応して４つ設けられ、かつ、４つの分割ハウジング２０が、分離、および、合体可能になっている。
【００２３】
分割ハウジング２０は、絶縁樹脂からなる略直方体形状をなすハウジング本体２１の一端面に端子挿入口２２が設けられ、ハウジング本体２１内に設けられた端子収容室２３を通して貫通された他端面に相手端子挿入口２４が設けられている。
【００２４】
ハウジング本体２１には、圧着端子８０を端子収容室２３内に収容完了した位置で係止する弾性係止片２５が設けられている。
弾性係止片２５は、分割ハウジング２０の外面および端子収容室２３の内面を構成する壁の外面から端子収容室２３内に貫通するスリット２６によって壁の一部が片持ち片状に外形がくりぬかれてなる。
この弾性係止片２５を形成するスリット２６が他の分割ハウジング２０と合体するための係合部分になっている。
すなわち、スリット２６の一部が後述する底面側係合突起３２と係合される上面側係合孔３１として機能されるようになっている。
【００２５】
ハウジング本体２１は、圧着端子８０を一部が端子収容室２３内に挿入され、かつ、電線７１に圧着される部分となる圧着部８２が端子挿入口２２から露出された状態で仮係止する仮係止部２７と、圧着端子８０を端子収容室２３内に収容完了した位置で係止する本係止部２８と、を有してなる。
【００２６】
仮係止部２７は、圧着端子８０の被係止部８４が係止されるように端子収容室２３内に設けられた孔からなり、圧着部８２が端子挿入口２２から露出された状態の端子収容室２３への挿入途中位置で圧着端子８０を係止するようになっている。
【００２７】
本係止部２８は、圧着端子８０の被係止部８４が係止されるように端子収容室２３内に設けられた孔からなる。
【００２８】
なお、圧着端子８０の被係止部８４、および、分割ハウジング２０の仮係止部２７および本係止部２８の構造は、これに限定されず、圧着端子８０が分割ハウジングの仮係止位置および本係止位置で係止されるようになっていればよい。
【００２９】
また、ハウジング本体２１の一側面には直線状に延びる側面側係合突起２９が設けられ、この側面側係合突起２９が設けられる面に対向する面であって側面側係合突起２９に対応した位置に合体相手となる他の分割ハウジング２０の側面側係合突起２９と嵌め合うように形成された側面側係合孔３０が設けられている。
【００３０】
さらに、ハウジング本体２１の底面には他の分割ハウジング２０の上述した上面側係合孔３１に係合される底面側係合突起３２が設けられている。
【００３１】
４つの分割ハウジング２０が、図４―図６に示すように、横方向に並ぶ２つの分割ハウジング２０が互いの側面側係合突起２９と側面側係合孔３０とを係合されることによって合体し、縦方向に並ぶ２つの分割ハウジング２０が底面側係合突起３２と上面側係合孔３１とを係合されることによって合体されて１つのインナーハウジング１０として構成されるようになっている。
【００３２】
コネクタ１のシールドシェル４０は、インナーハウジング１０の外周を筒状に包むシェル本体４１を有し、シェル本体４１に機器側コネクタ１００のシールドシェル４２が接続され、バネ状端子４３を介して後述する回路基板１４０の不図示のグランド端子に接続される。
【００３３】
アウターハウジング５０は、絶縁性の樹脂材からなり、図３に示すように、シールドシェル４０の外周を囲うようにフード状に形成されたフード部５１と、電線引き出し口を封止するためのシール部材６１を保持収容するシール部材保持収容部５２と、機器側コネクタ１００の後述するコネクタ部１１０に設けられたロック突起部１１１にロックするロックアーム部５３と、を有してなる。
【００３４】
機器側コネクタ１００は、図１に示すように、コネクタ１とコネクタ嵌合される部分となるコネクタ部１１０と、カバー部１２０と、を有してなる。
【００３５】
コネクタ部１１０は、筒状をなし、アウターハウジング５０のフード部５１が筒内に嵌合されるようになっている。
このコネクタ部１１０は、アウターハウジング５０のロックアーム部５３がロックするロック突起部１１１が設けられている。
【００３６】
カバー部１２０は、カメラケース１３０のレンズ１３１が取り付けられた一端側とは逆側の端部の開口を閉塞する部分である。
【００３７】
カメラケース１３０は、回路基板１４０を含めたカメラ機能部品が収容される部分であり、一端側にレンズ１３１が取り付けられている。
回路基板１４０は、表面上に電子部品が実装されるとともに制御回路に関わる導体パターンが形成されている。
回路基板１４０上に形成された導電パターンとしては、４つの不図示の信号端子部が４本の電線７１に対応して４つ設けられている。
なお、４つの信号端子部は、圧着端子８０に接続される接続相手端子９０を介して電線７１に接続される。
また、回路基板１４０上には、機器側コネクタ１００のシールドシェル４２に設けられたバネ状端子４３に接続される信号端子部を形成するグランドパターンが設けられている。
【００３８】
次に、図９−図１２をもちいてコネクタの組立手順について説明する。
図９は、（ａ）が、端末部の各被覆材が除去され、編組７０ａを絶縁被覆材の外周に折り返した状態で４本の電線７１が露出され、各電線７１の端末部の導体部７１ａが露出された状態になっているシールド電線７０の斜視図であり、（ｂ）が、端末部に露出された４本の電線７１のうち、２本の電線７１を下方に屈曲させた状態のシールド電線７０の斜視図である。図１０は、（ｃ）が端子圧着治具３１０を含む端子圧着装置３００によって２本の電線７１に対して圧着端子８０を圧着する様子を示した図であり、（ｄ）が２つの圧着端子８０が各分割ハウジング２０の仮係止位置で電線７１に圧着完了された状態を示した図である。図１１は、（ｅ）が２つの分割ハウジング２０を合体する様子を示した図であり、（ｆ）が２つの圧着端子８０が各分割ハウジング２０の仮係止位置から本係止位置に移動完了された状態を示した図である。図１２は、（ｇ）が端子圧着治具３１０を含む端子圧着装置３００によって残りの２本の電線７１に対して圧着端子８０を圧着する様子を示した図であり、（ｈ）が４つの分割ハウジング２０を全て合体させることによって１つのインナーハウジング１０に組立完了した状態を示した図である。
【００３９】
まず、シールド電線７０の端末部の各被覆材が除去され、編組７０ａを絶縁被覆材７０ｂの外周に折り返した状態で４本の電線７１が露出され、各電線７１の端末部の導体部が露出された状態にする（図９（ａ）参照）。
【００４０】
その後、シールド電線７０の露出された４本の電線７１のうち、後に圧着端子８０が圧着される２本の電線７１を屈曲する（図９（ｂ）参照）。
【００４１】
その後、端子圧着治具３１０および電線把持装置を含む端子圧着装置３００によって２本の電線７１に対して圧着端子８０を圧着する（図１０参照）。
なお、端子圧着治具３１０は、２つの圧着端子８０を同時に圧着することができるアンビル３１１およびクリンパ３１２を備えている。
ここで、各圧着端子８０は分割ハウジング２０の仮係止位置に係止された状態で、端子挿入口２２から露出された圧着部８２が端子圧着治具３１０によって電線７１に圧着される。
なお、各圧着端子８０が仮係止された２つの分割ハウジング２０は分離された状態であるので、２つの分割ハウジング２０は端子圧着治具３１０のクリンパ３１２の２つの圧着端子８０を区画する部分３１２ａの幅に対応して互いの間隔を離間することができる。
【００４２】
その後、２つの分割ハウジング２０を合体する（図１１（ｅ）参照）。
ここで２つの分割ハウジング２０は、一方の分割ハウジング２０の側面側係合突起２９と、他方の分割ハウジング２０の側面側係合孔３０とが係合されることによって合体される。
【００４３】
その後、２つの圧着端子８０を各分割ハウジング２０の仮係止位置から本係止位置に移動する（図１１（ｆ）参照）。
これにより２つの圧着端子８０が、本係止部２８および弾性係止片２５によって２重で係止され、対応する各端子収容室２３内に収容完了される。
【００４４】
次いで、端子圧着治具３１０を含む端子圧着装置３００によって残りの２本の電線７１に対して圧着端子８０を圧着する（図１２（ｇ）参照）。
ここで、シールド電線７０を裏返して残りの２本の電線７１が端子圧着装置３００にセットされる。
各圧着端子８０は分割ハウジング２０の仮係止位置に係止された状態で、端子挿入口２２から露出された圧着部８２が端子圧着治具３１０によって電線７１に圧着される。
なお、ここでも各圧着端子８０が仮係止された２つの分割ハウジング２０は分離された状態であるので、２つの分割ハウジング２０は端子圧着治具３１０のクリンパ３１２の２つの圧着端子８０を区画する部分３１２ａの幅に対応して互いの間隔を離間することができる。
【００４５】
最後に、４つの分割ハウジング２０を全て合体させて１つのインナーハウジング１０の状態にする（図１２（ｇ）参照）。
ここで、２つの分割ハウジング２０は先に合体した２つの分割ハウジング２０と同様の手順で、一方の分割ハウジング２０の側面側係合突起２９と、他方の分割ハウジング２０の側面側係合孔３０とが係合されることによって合体され、その後、２つの圧着端子８０が各分割ハウジング２０の仮係止位置から本係止位置に移動される。
そして、最後に、２つずつ合体された２組の分割ハウジング群２０、２０の互いに重なる分割ハウジング２０の底面側係合突起３２と上面側係合孔３１とが係合されることによって、４つの分割ハウジング２０の合体が完了される。
【００４６】
なお、この実施例では、２つの分割ハウジング２０毎に合体し、最後に２つずつ合体された２組の分割ハウジング群２０、２０を合体させることによって４つの分割ハウジング２０全てを合体完了させるものを例示したが、４つに分離された状態の４つの分割ハウジング２０を最後にまとめて合体させるようにしても構わない。
【００４７】
また、この実施例では、分割ハウジング２０を合体させた後に、圧着端子８０を仮係止位置から本係止位置に移動する手順を例示したが、圧着端子８０を仮係止位置から本係止位置に移動した後に分割ハウジング２０を合体させるようにしても構わない。
【００４８】
本発明の実施例に係るコネクタ１は、複数の圧着端子８０が対応する分割ハウジング２０の仮係止位置に係止された状態で、端子挿入口２２から露出された圧着部８２が端子圧着治具３１０によって電線７１に同時に圧着可能とされ、しかも、複数の分割ハウジング２０が、分離、および、合体可能になっており、圧着端子８０が仮係止された複数の分割ハウジング２０は、分離された状態にすることができるので、複数の分割ハウジング２０は、端子圧着治具３１０のクリンパ３１２の複数の圧着端子８０を区画する部分３１２ａの幅に対応して互いの間隔を離間することができ、結果的に、複数の圧着端子８０を端子収容室２３に挿入した状態で複数の電線７１に圧着端子８０を同時に圧着することによって組立作業を容易にするとともに、インナーハウジング１０の小型化に対応して複数の端子収容室２３の配置間隔が小さくなることによって端子圧着治具３１０の複数の圧着端子８０を区画する部分３１２ａを小さくして強度を低下させる必要がない。
【００４９】
また、本発明の実施例に係るコネクタ１は、圧着端子８０を端子収容室２３内に収容完了した位置に係止する弾性係止片２５の外形をくりぬくために分割ハウジング２０に形成されたスリット２６の一部を分割ハウジング２０が合体するための係合部分として利用しているため、簡易な構成で複数の分割ハウジング２０を分離、および、合体させることができる。
【００５０】
また、本発明の実施例に係るコネクタの組立方法は、複数の圧着端子８０が対応する分割ハウジング２０の仮係止位置に係止された状態で、端子挿入口２２から露出された圧着部８２が端子圧着治具３１０によって電線７１に同時に圧着可能とされ、しかも、圧着端子８０が仮係止された複数の分割ハウジング２０は、分離された状態になっているので、複数の分割ハウジング２０は、端子圧着治具３１０のクリンパ３１２の複数の圧着端子８０を区画する部分３１２ａの幅に対応して互いの間隔を離間することができ、結果的に、複数の圧着端子８０を端子収容室２３に挿入した状態で複数の電線７１に圧着端子８０を同時に圧着することによって組立作業を容易にするとともに、インナーハウジング１０の小型化に対応して複数の端子収容室２３の配置間隔が小さくなることによって端子圧着治具３１０の複数の圧着端子８０を区画する部分を小さくして強度を低下させる必要がない。
【００５１】
なお、本発明の実施例に係るコネクタ１は、車載カメラに組み込まれるものを例示したが、これに限らず、その他のデバイスに組み込まれるものであっても構わない。
【００５２】
また、本発明の実施例に係るコネクタ１は、インナーハウジング１０が４つの分割ハウジング２０が合体されてなるものを例示したが、合体される分割ハウジング２０の数は４つに限らず、複数であればよい。
【００５３】
また、本発明の実施例に係るコネクタ１は、４つの分割ハウジング２０が合体されたものがインナーハウジング１０であるものを例示したが、これに限らず、４つの分割ハウジング２０が合体されたものは、インナーハウジング１０に限らず、アウターハウジング５０等、その他の種類のコネクタハウジングであっても構わない。
【００５４】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５５】
１コネクタ
１０    インナーハウジング（コネクタハウジング）
２０    分割ハウジング
２１    ハウジング本体
２１ａ  壁
２２    端子挿入口
２３    端子収容室
２４    相手端子挿入口
２５    弾性係止片
２６    スリット
２７    仮係止部
２８    本係止部
２９    側面側係合突起
３０    側面側係合孔
３１    上面側係合孔
３２    底面側係合突起
４０    シールドシェル（コネクタ１側）
４１    シェル本体
４２    シールドシェル（機器側コネクタ１００側）
４３    バネ状端子
５０    アウターハウジング
５１    フード部
５２    シール部材保持収容部
５３    ロックアーム部
６０    ホルダー
６１    シール部材
７０    シールド電線
７０ａ  編組
７０ｂ  絶縁被覆材
７１    電線
７１ａ  導体部
８０    圧着端子
８１    相手端子接続部
８２    圧着部（電線に圧着される部分）
８２ａ  底壁
８２ｂ  圧着片
８３    中間部
８４    被係止部
９０    接続相手端子
１００  機器側コネクタ
１１０  コネクタ部
１１１  ロック突起部
１２０  カバー部
１３０  カメラケース
１３１  レンズ
１４０  回路基板
２００  車載カメラ
３００  端子圧着装置
３１０  端子圧着治具
３１１  アンビル
３１２  クリンパ
３１２ａ  区画する部分
３２０  電線把持装置
【図１】
2018049766.tif 000003
【図２】
2018049766.tif 000004
【図３】
2018049766.tif 000005
【図４】
2018049766.tif 000006
【図５】
2018049766.tif 000007
【図６】
2018049766.tif 000008
【図７】
2018049766.tif 000009
【図８】
2018049766.tif 000010
【図９】
2018049766.tif 000011
【図１０】
2018049766.tif 000012
【図１１】
2018049766.tif 000013
【図１２】
2018049766.tif 000014
【図１３】
2018049766.tif 000015